(57)【要約】【課題】ソファー仕様において、固定ベッドの座面面積が起立した可動マットによって削減されるのを抑止でき、着座時の窮屈感がない、開放的なソファーベッドを提供する。【解決手段】フレーム１と、フレーム１で支持される左右横長のベッドマット２とを備えている。ベッドマット２はフレーム１に固定される固定マット２Ａと、ソファー仕様とベッド仕様とに起伏変位できる可動マット２Ｂとを含む。固定マット２Ａと可動マット２Ｂとは、ベッドマット２を前後に横断するクランク状の分割面Ｃで分割して、前後および左右に隣接させる。フレーム１と可動マット２Ｂとの間に、可動マット２Ｂを下方のマット位置と上方の背もたれ位置とに起伏変位可能に支持する昇降機構を設ける。【選択図】図１
2005143834.tif 000002
【特許請求の範囲】
【請求項１】
フレーム１と、フレーム１で支持される左右横長のベッドマット２とを備えており、ベッドマット２がフレーム１に固定される固定マット２Ａと、ソファー仕様とベッド仕様とに起伏変位できる可動マット２Ｂとで構成してあるソファーベッドであって、
固定マット２Ａと可動マット２Ｂとは、ベッドマット２を前後に横断するクランク状の分割面Ｃで分割されて、前後および左右に隣接しており、
フレーム１と可動マット２Ｂとの間に、可動マット２Ｂを下方のマット位置と上方の背もたれ位置とに起伏変位可能に支持する昇降機構が設けられており、
昇降機構が、可動マット２Ｂが前後の隣接面に沿って起伏変位できるように構成してあることを特徴とするソファーベッド。
【請求項２】
昇降機構が、第１リンク枠１９および第２リンク枠２０と、フレーム１の側端に固定されて、第１リンク枠１９を所定の起立角度ごとに位置保持できる起伏ヒンジ５と、第２リンク枠２０とフレーム１との間に設けられて第２リンク枠２０の起立動作を補助する起立付勢体２１とを含み、
第１リンク枠１９および第２リンク枠２０が、それぞれ前後方向の揺動中心軸まわりに起伏変位できるように支持されており、
ソファー仕様において可動マット２Ｂの背もたれ部１６に作用する外力のモーメントの方向と、第１・第２の両リンク枠１９・２０の起伏方向とがほぼ直交している請求項１記載のソファーベッド。
【請求項３】
固定マット２Ａおよび可動マット２Ｂは、それぞれの平面視形状が横臥Ｌ字状に形成されており、
可動マット２Ｂの肘掛部１５の下面が第１リンク枠１９で支持され、背もたれ部１６の側端寄りの下面が第２リンク枠２０で支持してある請求項１または２記載のソファーベッド。
【請求項４】
フレーム１の側端に、可動マット２Ｂの肘掛部１５を受け止め支持する補助フレーム６が設けられており、
ベッド仕様において、可動マット２Ｂの背もたれ部１６をフレーム１で支持し、肘掛部１５を補助フレーム６で支持して、可動マット２Ｂを固定マット２Ａと面一状に支持できる請求項１または２または３記載のソファーベッド。
【請求項５】
固定マット２Ａと可動マット２Ｂとの前後の隣接面が、ベッドマット２の前後幅の中央より可動マット２Ｂ側に偏寄した位置に設けられており、
ソファー仕様における固定マット２Ａの座面面積が、ベッドマット２の全面積の大半を占めている請求項１から４のいずれかに記載のソファーベッド。
【請求項６】
起立付勢体２１が、第２リンク枠２０とフレーム１との間に掛け止め装着した引っ張りコイル形のばねである請求項１から５のいずれかに記載のソファーベッド。
【発明の詳細な説明】
【技術分野】
【０００１】
本発明は、ベッドマットの一部を上げ下げすることにより、ベッド仕様とソファー仕様とに変更することができるソファーベッドに関する。
【背景技術】
【０００２】
この種のソファーベッドは、例えば特許文献１に公知である。そこでは、横長長方形状のベッドマットを、ベッドマットの３辺に沿って連続する可動マットと、可動マットで囲まれる四角形状の固定マットとに分割している。可動マットは固定マットに対して起伏揺動可能に軸支される左右一対の腕部と、両腕部に対してヒンジを介して連結される背もたれ部とで構成してある。背もたれ部は、一端が固定マットに連結されたリンク棒で支持してあり、リンク棒と腕部とが平行リンク状に起伏揺動することで、可動マットをソファー仕様とベッド仕様とに姿勢変更できるようになっている。リンク棒の揺動基端は、一定角度ごとに節動しながら起立姿勢を維持できる起伏ヒンジで支持されている。形態は異なるが、同様のソファーベッドは特許文献２にも見ることができる。
【０００３】
【特許文献１】実公平４−１５０８５号公報（第２頁第４欄下段、第３図）
【特許文献２】意匠登録第８３１１１２号公報
【発明の開示】
【発明が解決しようとする課題】
【０００４】
上記のソファーベッドによれば、可動マットの背もたれ部を持ち上げるだけで、ベッドマットをソファー仕様に変更できる。しかし、背もたれ部を持ち上げた状態はもちろん、ベッド仕様に戻すために、背もたれ部を、使用位置を越えて腕部側へ傾動するとき、腕部と背もたれ部とがく字状に折れ曲がるので、両者の連結部分を覆うクッション材に過酷な曲力が作用するのを避けられず、クッション材が早期に疲労し損耗しやすい。
【０００５】
背もたれ部を持ち上げた状態では、背もたれ部が固定マットの後縁上方に重なるが、背もたれ部と固定マットとの前後方向の重なり量が大きく、しかも左右の腕部の幅分だけ座面幅が小さくなるので、固定マットの座面面積が減少するのを避けられず、固定マットの左右および後の３辺が可動マットでコ字状に囲まれることもあって、複数人が着座する場合に窮屈感を与えやすい。当然、背もたれ部を持ち上げた状態のままで、固定マットに横たわることは難しい。例えば、可動マットの背もたれ部が壁面に沿う状態で設置してある場合には、可動マットを固定マットの側から持ち上げ操作せざるを得ず、可動マットの上げ下ろし操作が困難になる。
【０００６】
ソファー仕様においては、背もたれ部に作用する外力の殆どを、斜めに起立したリンク棒が負担するが、そのモーメントが起伏ヒンジに集中して作用するうえ、リンク棒の揺動方向と外力によるモーメントの方向とが一致するので、起伏ヒンジがガタ付きやすく、長期使用時に損耗しやすい。ベッド仕様における可動マットと固定マットは、それぞれ短い脚を介して接床している。そのため、可動マットと固定マットは、両者の隣接部分において下凹み状に変形する傾向があり、就寝時にマット面を平坦に維持できないおそれがある。
【０００７】
本発明の目的は、固定マットと可動マットの分割形態、および可動マットの昇降形態を工夫することにより、可動マットのクッション材を変形させることなく、ベッドマットをソファー仕様とベッド仕様とに変更することができ、ソファー仕様において、固定マットの座面面積が可動マットによって削減されるのを抑止できるうえ、着座時の窮屈感がない開放的なソファーベッドを提供することにある。本発明の目的は、背もたれに作用する外力のモーメントの方向とリンク棒の揺動方向とを交差させて、起伏ヒンジに無理な力が作用するのを極力避けることができ、その分だけ耐久性が向上するソファーベッドを提供することにある。本発明の目的は、可動マットの背もたれ部が壁面に沿って設置してある場合でも、可動マットを支障なく上げ下ろし操作でき、従来のこの種のベッドに比べて、ベッドマットの態様の変更が簡便にしかも軽快に行えるソファーベッドを提供することにある。
【課題を解決するための手段】
【０００８】
本発明のソファーベッドは、フレーム１と、フレーム１で支持される左右横長のベッドマット２とを備えている。ベッドマット２は、フレーム１に固定される固定マット２Ａと、ソファー仕様とベッド仕様とに起伏変位できる可動マット２Ｂとで構成する。図４に示すように固定マット２Ａと可動マット２Ｂとは、ベッドマット２を前後に横断するクランク状の分割面Ｃで分割されて、前後および左右に隣接している。フレーム１と可動マット２Ｂとの間には、可動マット２Ｂを下方のマット位置と上方の背もたれ位置とに起伏変位可能に支持する昇降機構を設ける。この昇降機構は、可動マット２Ｂが前後の隣接面に沿って起伏変位できるように構成してあることを特徴とする（請求項１）。
【０００９】
図２において昇降機構は、第１リンク枠１９および第２リンク枠２０と、フレーム１の側端に固定されて、第１リンク枠１９を所定の起立角度ごとに位置保持できる起伏ヒンジ５と、第２リンク枠２０とフレーム１との間に設けられて第２リンク枠２０の起立動作を補助する起立付勢体２１とを含む。第１リンク枠１９および第２リンク枠２０は、それぞれ前後方向の揺動中心軸まわりに起伏変位できるように支持する。以て、ソファー仕様において可動マット２Ｂの背もたれ部１６に作用する外力のモーメントの方向と、第１・第２の両リンク枠１９・２０の起伏方向とをほぼ直交させる（請求項２）。
【００１０】
固定マット２Ａおよび可動マット２Ｂは、それぞれの平面視形状を横臥Ｌ字状に形成する。可動マット２Ｂの肘掛部１５の下面を第１リンク枠１９で支持し、背もたれ部１６の側端寄りの下面を第２リンク枠２０で支持する（請求項３）。
【００１１】
フレーム１の側端には、可動マット２Ｂの肘掛部１５を受け止め支持するための補助フレーム６を設ける。ベッド仕様において、可動マット２Ｂの背もたれ部１６をフレーム１で支持し、肘掛部１５を補助フレーム６で支持して、可動マット２Ｂを固定マット２Ａと面一状に支持できるようにする（請求項４）。
【００１２】
固定マット２Ａと可動マット２Ｂとの前後の隣接面は、ベッドマット２の前後幅の中央より可動マット２Ｂ側に偏寄した位置に設け、ソファー仕様における固定マット２Ａの座面面積が、ベッドマット２の全面積の大半を占めるようにすることができる（請求項５）。
【００１３】
起立付勢体２１は、第２リンク枠２０とフレーム１との間に掛け止め装着した引っ張りコイル形のばねで形成することができる（請求項６）。
【発明の効果】
【００１４】
本発明では、クランク状の分割面Ｃでベッドマット２を分割して、固定マット２Ａと可動マット２Ｂとが前後および左右に隣接するようにした。そのうえで、可動マット２Ｂを昇降機構で支持して、可動マット２Ｂが前後の隣接面に沿って起伏変位することにより、下方のマット位置と上方の背もたれ位置とに変位できるようにした。こうしたソファーベッドによれば、ベッドマット２をソファー仕様にした状態において、固定マット２Ａあるいは可動マット２Ｂのクッション材が変形することがないので、長期使用時におけるベッドマット２のクッション材の傷みを防止でき、その分だけソファーベッドの耐久性を向上する。
【００１５】
ソファー仕様にするとき、可動マット２Ｂを前後の隣接面に沿って起立させることにより、可動マット２Ｂと固定マット２Ａとの左右の隣接部分のみが上下に重なるようにし、固定マット２Ａの座面面積が可動マット２Ｂによって削減されるのを減少するので、複数人が着座する場合でも、着座時の窮屈感がなく、開放的なソファーベッドとすることができる。ソファー仕様において、固定マット２Ａの一側縁側が開放されることも、ソファーベッドをより開放的にすることに役立っている。可動マット２Ｂの背もたれ部１６が壁面に沿って設置してある場合でも、肘掛部１５の側を持ち上げ操作することで、可動マット２Ｂを軽快に上げ下ろし操作できるので、従来のこの種のベッドに比べて、ベッドマット２の態様の変更が簡便にしかも軽快に行える（請求項１）。
【００１６】
第１リンク枠１９および第２リンク枠２０と、起伏ヒンジ５と、起立付勢体２１などで構成した昇降機構によれば、第１リンク枠１９が所定角度起立傾動する毎に、第１リンク枠１９を起伏ヒンジ５でロック保持して、可動マット２Ｂの高さを複数段階に調整できるので、使用者の好みに応じて可動マット２Ｂの高さを変更できる。例えば、可動マット２Ｂに下腿を乗せた状態で固定マット２Ａに横たわることもできる。起立付勢体２１で第２リンク枠２０の起立動作を補助するので、可動マット２Ｂをソファーの態様にする際の持ち上げ操作を軽快に行える。
【００１７】
第１リンク枠１９および第２リンク枠２０は、前後方向の揺動中心軸まわりに起伏変位できるように支持して、ソファー仕様において可動マット２Ｂの背もたれ部１６に作用する外力のモーメントの方向と、第１・第２の両リンク枠１９・２０の起伏方向とをほぼ直交させるので、使用者が背もたれ部１６にもたれかかった状態において、外力のモーメントを起伏ヒンジ５の前後の壁やブラケット３０などで受け止めることができ、したがって、起伏ヒンジ５に無理な力が作用するのを極力避けて、起伏ヒンジ５がガタ付くのを防止し、長期使用時における起伏ヒンジ５の係合歯などの摩滅を防止して、その耐久性の向上を図れる（請求項２）。
【００１８】
可動マット２Ｂの平面視形状を横臥Ｌ字状に形成し、その肘掛部１５の下面を第１リンク枠１９で支持し、背もたれ部１６の側端寄りの下面を第２リンク枠２０で支持するようにしたソファーベッドによれば、左右に長い可動マット２Ｂを安定した状態で固定支持できるので、ソファー仕様において可動マット２Ｂがぐらつくのをよく防止できる（請求項３）。
【００１９】
フレーム１の側端に、可動マット２Ｂの肘掛部１５を受け止め支持するための補助フレーム６を設けて、ベッド仕様において、可動マット２Ｂの背もたれ部１６をフレーム１で支持し、肘掛部１５を補助フレーム６で支持できるようにしたソファーベッドによれば、ベッド仕様における可動マット２Ｂを、固定マット２Ａと面一状に支持できるので、就寝時に、身体がベッドマット２の分割面にそって沈み込むのを確実に防止でき、ソファーベッドでありながら、通常形態のベッドマットと同様に快適に睡眠できる。背もたれ部１６に腰を掛けるような場合に、背もたれ部１６が異常に沈み込むこともない（請求項４）。
【００２０】
固定マット２Ａと可動マット２Ｂとの前後の隣接面は、ベッドマット２の前後幅の中央より可動マット２Ｂ側に偏寄した位置に設けて、ソファー仕様における固定マット２Ａの座面面積が、ベッドマット２の全面積の大半を占めるようにしたソファーベッドによれば、ソファー仕様における固定マット２Ａの座面面積を充分に確保して、ゆったりと着座できるソファーベッドが得られる（請求項５）。
【００２１】
起立付勢体２１が引っ張りコイル形のばねで形成されていると、ベッドマット２をベッド仕様にした状態において、ばねが伸びきった状態になるので、可動マット２Ｂを持ち上げ操作し始めるときの起立付勢体２１の張力を大きくできる。したがって、可動マット２Ｂをさらに軽快に持ち上げ操作できる（請求項６）。
【発明を実施するための最良の形態】
【００２２】
図１ないし図１０は本発明に係るソファーベッドの実施例を示す。図１ないし図５においてソファーベッドは、フレーム１と、フレーム１で支持される横に長い長方形状のベッドマット２と、フレーム１を支持する左右一対の脚枠３などで構成されている。フレーム１は、中空の金属枠を横長長方形状に組んであり、その中途部右寄りに補助枠４を固定してある。フレーム１の左側端には前後一対の起伏ヒンジ５が固定され、両ヒンジ５の間に前後に長いＵ字状の補助フレーム６が張り出し形成されている。
【００２３】
ベッドマット２は、フレーム１に固定される固定マット２Ａと、ソファー仕様とベッド仕様とに起伏変位できる可動マット２Ｂとで構成されている。図４において固定マット２Ａと可動マット２Ｂとは、ベッドマット２を前後に横断するクランク状の分割面Ｃで分割されて平面視形状が横臥Ｌ字状に形成してあり、ベッド仕様において両者２Ａ・２Ｂは前後および左右に隣接している。分割面の隅部分は丸められており、左右の隣接面の間には、可動マット２Ｂを昇降させるための僅かな隙間が確保されている。
【００２４】
ソファー仕様における固定マット２Ａの座面面積を大きくするために、固定マット２Ａと可動マット２Ｂとの前後の隣接面を、ベッドマット２の前後幅の中央より可動マット２Ｂ側に偏寄させている。この実施例では、ソファー仕様における固定マット２Ａの座面面積が、ベッドマット２の全面積の６割前後になるようにした。
【００２５】
図１０に示すように、固定マット２Ａおよび可動マット２Ｂは、台板１０に一群のコイルばね１１を載置固定し、その外面をスポンジ状の弾性シート１２で覆い、さらにその外面を表装シート１３で覆って形成してある。クランク状の分割面Ｃで分割された可動マット２Ｂは、ベッドマット２をソファー仕様に操作した状態において、左側端のマット部分の前縁から後縁までの領域を肘掛部１５とし、残る左右に長いマット部分を背もたれ部１６とすることができる。
【００２６】
可動マット２Ｂを下方のマット位置（図６の状態）と、上方の背もたれ位置（図２の状態）とに起伏変位可能に支持するために、フレーム１と可動マット２Ｂとの間に昇降機構を備えている。図２において昇降機構は、第１リンク枠１９および第２リンク枠２０と、先に述べた起伏ヒンジ５と、第２リンク枠２０の起立動作を補助する起立ばね（起立付勢体）２１などで構成する。
【００２７】
図５および図１０において第１リンク枠１９は、前後一対のリンク棒２２どうしを２個の補強桟２３で連結して構成してあり、リンク棒２２の基端を起伏ヒンジ５に連結し、他端を可動マット２Ｂの肘掛部１５の下面に固定したブラケット２４にピン２５を介して連結する。第１リンク枠１９は、起伏ヒンジ５に組み付けたピン２６を中心にして起伏揺動でき、所定の起立角度ごとに起伏ヒンジ５で位置保持できるが、殆どの場合は図２、図１０に示す斜めの起立姿勢で固定保持される。起立姿勢を越えて、第１リンク枠１９を図１０の想像線で示す位置まで変位操作すると、起伏ヒンジ５の位置保持作用を解除して、可動マット２Ｂをベッド仕様に戻すことができる。起伏ヒンジ５の構造は周知であるのでその説明を省略する。
【００２８】
図５および図１０に示すように第２リンク枠２０は、第１リンク枠１９と同様に、前後一対のリンク棒２８どうしを２個の補強桟２９で連結して構成してあり、リンク棒２８の基端を補助枠４に固定したブラケット３０にピン３１で連結し、他端を可動マット２Ｂの背もたれ部１６の下面側端寄りに固定したブラケット３２にピン３３を介して連結する。第２リンク枠２０は背もたれ部１６の下方の空間を利用して配置する、そのため、第１リンク枠１９に比べて前後幅が狭い。第１リンク枠１９と第２リンク枠２０とのリンク長さは、ほぼ同じに設定してあり、したがって両リンク枠１９・２０は平行リンクに近似する揺動軌跡に沿って起伏揺動して、可動マット２Ｂを下方のマット位置と、上方の背もたれ位置とに変位できる。
【００２９】
可動マット２Ｂを持ち上げて、ベッドマット２をベッド仕様からソファー仕様へ変更するとき、より軽快に可動マット２Ｂを持ち上げ操作できるようにするために起立ばね２１を設けている。起立ばね２１は引っ張りコイル形のばねからなり、その一端を第２リンク枠２０のリンク棒２８に掛け止め、他端をフレーム１に掛け止めてある。起立ばね２１の外面はプラスチックチューブで覆ってある。起伏ヒンジ５の位置保持作用を解除するために、起立姿勢を越えて第１リンク枠１９を変位操作するとき、固定マット２Ａの表装シート１３が起立ばね２１のコイル部で擦られるのを避けるためである。
【００３０】
上記構成のソファーベッドによれば、第１リンク枠１９および第２リンク枠２０は、それぞれ前後方向の揺動中心軸まわりに左右方向へ起伏変位する。これに対し、ソファー仕様において、可動マット２Ｂの背もたれ部１６に作用する外力のモーメントの方向は後方向となり、第１・第２の両リンク枠１９・２０の起伏方向と外力のモーメントの方向とは直交することになる。したがって、ソファー仕様において、使用者が背もたれ部１６にもたれかかった状態では、起伏ヒンジ５の前後の壁と、ブラケット３０とが協同して外力のモーメントを受け止めることができ、起伏ヒンジ５がガタ付くのをよく防止して、長期使用時に起伏ヒンジ５の係合歯などが摩滅するのを防止できる。
【００３１】
可動マット２Ｂをソファー仕様にするとき、可動マット２Ｂは前後の隣接面に沿って起伏変位し、両リンク枠１９・２０が背もたれ位置まで起立した状態では、肘掛部１５の一部と、背もたれ部１６の一部が、固定マット２Ａ側の、左右の隣接面の上方に重なっているに過ぎない（図１、図２参照）。したがって、ソファー仕様において、固定マット２Ａの座面面積が可動マット２Ｂによって削減されるのを極力避けることができる。また、固定マット２Ａの前面側と、右側面側とが開放されているので、着座時の窮屈感がなく、開放的なソファーとすることができる。
【００３２】
例えば、可動マット２Ｂの後面が壁面に沿う状態でソファーベッドが設置してある場合でも、肘掛部１５の側面側から可動マット２Ｂを上げ下ろし操作することにより、ベッドマット２をベッド仕様とソファー仕様とに簡便に変更できる。ソファー仕様において、可動マット２Ｂの肘掛部１５の下面を第１リンク枠１９で支持し、背もたれ部１６の側端寄りの下面を第２リンク枠２０で支持すると、左右に長い可動マット２Ｂを安定した状態で固定支持できる。可動マット２Ｂをマット位置へ戻した状態では、肘掛部１５が補助フレーム６で受け止め支持され、背もたれ部１６の殆どの部分がフレーム１の後枠で受け止め支持されるので、ベッドの態様で使用するとき、可動マット２Ｂと固定マット２Ａを面一状にできるうえ、背もたれ部１６に腰掛けるような場合に、背もたれ部１６が異常に沈み込むこともない。
【００３３】
図１１は起立付勢体の別実施例を示す。そこでは市販のガスダンパー２１で起立付勢体を構成して、可動マット２Ｂの起立操作を補助できるようにした。ガスダンパー２１のシリンダー側の端部は、フレーム１に固定したブラケット３５にピン３６を介して連結し、ロッド側の端部は第２リンク枠２０のリンク棒２８にピン３７を介して連結する。ベッド仕様において、可動マット２Ｂがガスダンパー２１による付勢力で浮き上がるのを防ぐために、第１リンク枠１９とフレーム１との間にロック構造を設けることが好ましい。なお、ガスダンパー２１は、上記の連結形態とは逆に、倒立姿勢で使用することができる。
【００３４】
上記の実施例では、可動マット２Ｂを平行リンク状に構成した昇降機構で起伏変位可能に支持したが、例えば可動マット２Ｂを昇降機構で垂直に昇降操作して、ベッド仕様とソファー仕様とに変更してもよい。可動マット２Ｂは、二組以上のリンク枠で構成した昇降機構で起伏変位可能に支持することができる。分割面Ｃはクランク形状とする以外に、横臥Ｌ字状に変更することができる。その場合の固定マット２Ａは、概略横長長方形状に形成される。
【図面の簡単な説明】
【００３５】
【図１】ソファーベッドの斜視図である。
【図２】ソファー仕様の正面図である。
【図３】ソファー仕様の右側面図である。
【図４】ベッド仕様の平面図である。
【図５】ベッド仕様の底面図である。
【図６】ベッド仕様の正面図である。
【図７】ベッド仕様の背面図である。
【図８】ベッド仕様の左側面図である。
【図９】ベッド仕様の右側面図である。
【図１０】ソファー仕様の断面図である。
【図１１】起立付勢体の別実施例を示す正面図である。
【符号の説明】
【００３６】
１  フレーム
２  ベッドマット
２Ａ  固定マット
２Ｂ  可動マット
５  起伏ヒンジ
１９  第１リンク枠
２０  第２リンク枠
２１  起立ばね
Ｃ  分割面
【図１】
2005143834.tif 000003
【図２】
2005143834.tif 000004
【図３】
2005143834.tif 000005
【図４】
2005143834.tif 000006
【図５】
2005143834.tif 000007
【図６】
2005143834.tif 000008
【図７】
2005143834.tif 000009
【図８】
2005143834.tif 000010
【図９】
2005143834.tif 000011
【図１０】
2005143834.tif 000012
【図１１】
2005143834.tif 000013